(57)【要約】【課題】印刷条件の設定におけるユーザの操作性を向上させる。【解決手段】複数の画面からなる印刷設定画面にユーザ登録画面３０１が設定される。このユーザ登録画面３０１には、現在の印刷設定条件の内容が一覧になった設定一覧表示領域３０３が表示される。設定一覧表示領域３０３に表示される印刷設定条件は、別の画面で設定された印刷設定条件の内容が一覧となったものである。ユーザは、設定一覧表示部３０３に表示された現在の印刷設定条件の内容を確認し、その印刷設定条件を登録するための登録名称を名称登録部３０２に入力することにより、その登録名称と、設定一覧表示領域３０３に表示された印刷設定条件の内容とが関連付けられて登録される。【選択図】図６
2006330898.tif 000002
【特許請求の範囲】
【請求項１】
印刷装置に対して送信する印刷設定条件の設定を行う印刷設定装置において、該印刷設定装置は、該印刷設定装置に接続される表示装置に対して印刷設定条件用の印刷設定条件画面を表示する印刷設定条件画面表示手段を有し、前記印刷設定条件画面は、複数の印刷設定条件項目を複数の画面で表示するように構成され、前記印刷設定条件画面表示手段は、前記印刷設定条件画面において、現在設定されている印刷設定条件に対して名称を付けて登録可能とするための名称登録領域と、現在設定されている印刷設定条件を表示する印刷設定条件表示領域とを表示し、該印刷設定装置は、前記名称登録領域に入力された登録名称を現在設定されている印設定条件に関連付けて記憶装置に記憶させる名称登録手段を有することを特徴とする印刷設定装置。
【請求項２】
現在の印刷設定条件と予め定められた印刷設定条件とを比較する印刷設定条件比較手段を有し、前記印刷設定条件画面表示手段は、前記印刷設定条件比較手段による比較結果に従って、前記印刷設定条件表示領域に表示させる現在の印刷設定条件の表示を変化させることを特徴とする請求項１に記載の印刷設定装置。
【請求項３】
前記印刷設定条件の表示の変化は、前記現在の印刷設定条件と前記予め定められた印刷設定条件とにおいて、互いに異なっている印刷設定条件項目に関わる表示情報の書体を変更することを特徴とする請求項２に記載の印刷設定装置。
【請求項４】
前記印刷設定条件の表示の変化は、前記現在の印刷設定条件と前記予め定められた印刷設定条件とにおいて、互いに異なっている印刷設定条件項目に関わる表示情報を大きくして表示することを特徴とする請求項２に記載の印刷設定装置。
【請求項５】
前記印刷設定条件の表示の変化は、前記現在の印刷設定条件と前記予め定められた印刷設定条件とにおいて、互いに異なっている印刷設定条件項目に関わる表示情報に所定のマークを付加して表示することを特徴とする請求項２に記載の印刷設定装置。
【請求項６】
前記印刷状態の表示の変化は、前記現在の印刷設定条件と前記予め定められた印刷設定条件とにおいて、互いに異なっている印刷設定条件項目に関わる表示情報を、他の表示情報と区別して所定の位置に表示することを特徴とする請求項２に記載の印刷設定装置。
【請求項７】
前記印刷状態の表示の変化は、前記現在の印刷設定条件と前記予め定められた印刷設定条件とにおいて、互いに異なっている印刷設定条件項目に関わる表示情報のみを表示することを特徴とする請求項２に記載の印刷設定装置。
【請求項８】
前記印刷設定条件画面表示手段は、前記現在設定されている印刷設定条件を前記印刷設定条件表示領域に表示する際に、予め定められた前記印刷設定条件表示領域内に、表示すべき印刷設定条件の全てが一度に表示されるように、該印刷設定条件の表示情報の大きさ及び／または行間を調整することを特徴とする請求項２に記載の印刷設定装置。
【請求項９】
前記印刷設定条件画面表示手段は、前記現在設定されている印刷設定条件を前記印刷設定条件表示領域に表示する際に、前記印刷設定条件表示領域内に表示すべき印刷設定条件の表示情報を、時間の経過に従って変化させて表示することを特徴とする請求項２に記載の印刷設定装置。
【請求項１０】
前記印刷設定条件画面表示手段は、前記印刷設定条件表示領域内に、前記現在設定されている印刷設定条件とともに、前記予め定められた印刷設定条件を表示することを特徴とする請求項１に記載の印刷設定装置。
【請求項１１】
前記印刷設定条件画面表示手段は、前記現在設定されている印刷設定条件をアイコンによって表現して表示することを特徴とする請求項１に記載の印刷設定装置。
【請求項１２】
前記アイコンは、複数の印刷設定条件項目の組み合わせを表現するアイコンであることを特徴とする請求項１１に記載の印刷設定装置。
【請求項１３】
前記アイコンは、印刷出力を表現するアイコンであることを特徴とする請求項１１に記載の印刷設定装置。
【請求項１４】
前記アイコンは、印刷に利用する印刷用紙の種類を表すアイコンであることを特徴とする請求項１１に記載の印刷設定装置。
【請求項１５】
前記アイコンは、印刷の仕上げ状態を表すアイコンであることを特徴とする請求項１１に記載の印刷設定装置。
【請求項１６】
前記アイコンは、印刷装置の外観を表すアイコンであることを特徴とする請求項１１に記載の印刷設定装置。
【請求項１７】
前記印刷装置の外観を表すアイコンにおいて、印刷に使用する印刷用紙を給紙する給紙トレイの選択状態を表すことを特徴とする請求項１６に記載の印刷設定装置。
【請求項１８】
前記印刷装置の外観を表すアイコンにおいて、印刷用紙を排紙する排紙トレイの選択状態を表すことを特徴とする請求項１６に記載の印刷設定装置。
【請求項１９】
前記アイコンは、印刷出力順序を表すアイコンであることを特徴とする請求項１１に記載の印刷設定装置。
【請求項２０】
前記アイコンは、印刷文書の文書スタイルを表すアイコンであることを特徴とする請求項１１に記載の印刷設定装置。
【請求項２１】
現在の印刷設定条件と予め定められた印刷設定条件とを比較する印刷設定条件比較手段を有し、前記印刷設定条件画面表示手段は、前記印刷設定条件比較手段により比較した結果、前記現在の印刷設定条件と前記予め定められた印刷設定条件とにおいて、互いに異なっている印刷設定条件項目に関わるアイコンを表示することを特徴とする請求項１１に記載の印刷設定装置。
【請求項２２】
現在の印刷設定条件と予め定められた印刷設定条件とを比較する印刷設定条件比較手段を有し、前記印刷設定条件画面表示手段は、前記印刷設定条件比較手段により比較した結果、前記現在の印刷設定条件と前記予め定められた印刷設定条件とにおいて、互いに異なっている印刷設定条件項目に関わるアイコンに所定のマークを付加して表示することを特徴とする請求項１１に記載の印刷設定装置。
【請求項２３】
前記印刷設定条件画面表示手段は、前記現在設定されている印刷設定条件を表すアイコンを表示する際に、該表示すべき印刷設定条件を表すアイコンを、時間の経過に従って変化させて表示することを特徴とする請求項１１に記載の印刷設定装置。
【請求項２４】
前記印刷設定条件画面表示手段は、前記現在設定されている印刷設定条件を表すアイコンとともに、前記予め定められた印刷設定条件を表すアイコンを表示することを特徴とする請求項１１に記載の印刷設定装置。
【請求項２５】
現在の印刷設定条件と予め定められた印刷設定条件とを比較する印刷設定条件比較手段を有し、前記印刷設定条件画面表示手段は、前記印刷設定条件比較手段により比較した結果、前記現在の印刷設定条件と前記予め定められた印刷設定条件とにおいて、互いに異なっている印刷設定条件項目に関連した名称を前記名称登録領域に表示することを特徴とする請求項１に記載の印刷設定装置。
【請求項２６】
前記印刷設定条件画面表示手段は、前記印刷設定条件項目を表示する複数の画面のそれぞれから、前記名称登録領域及び前記印刷設定条件表示領域を表示する画面に移行可能としたことを特徴とする請求項１に記載の印刷設定装置。
【請求項２７】
前記印刷設定条件画面表示手段は、前記名称登録領域及び前記印刷設定条件表示領域を表示する際に、印刷設定条件入力を受け付けるために表示されていた複数の印刷設定条件項目を非表示状態とすることを特徴とする請求項１に記載の印刷設定装置。
【請求項２８】
前記印刷設定条件画面表示手段は、前記印刷設定条件表示領域に現在の印刷設定条件を表示する際、相互に関連する複数の印刷設定条件項目を一つの印刷設定条件項目にまとめて該印刷設定条件項目に対応する印刷設定条件を表示することを特徴とする請求項１に記載の印刷設定装置。
【請求項２９】
前記記憶装置にすでに記憶されている印刷設定条件の登録名称を検索し、現在表示されている印刷設定条件と同じ印刷設定条件に該当する登録名称を抽出し、該抽出した登録名称を前記名称登録領域に表示することを特徴とする請求項１に記載の印刷設定装置。
【請求項３０】
請求項２に記載の印刷設定装置において、前記印刷設定条件比較手段により比較した結果、前記現在の印刷設定条件と前記予め定められた印刷設定条件とにおいて、互いに異なっている印刷設定条件項目の表示位置を、予め定めた優先順位に従って制御することを特徴とする印刷設定装置。
【請求項３１】
印刷装置に対して送信する印刷設定条件の設定を行う印刷設定条件方法において、該印刷設定装置に接続される表示装置に対して印刷設定条件用の印刷設定条件画面を表示する印刷設定条件画面表示ステップを有し、前記印刷設定条件画面は、複数の印刷設定条件項目を複数の画面で表示するように構成され、前記印刷設定条件画面表示ステップは、前記印刷設定条件画面において、現在設定されている印刷設定条件に対して名称を付けて登録可能とするための名称登録領域と、現在設定されている印刷設定条件を表示する印刷設定条件表示領域とを表示し、さらに前記名称登録領域に入力された登録名称を現在設定されている印設定条件に関連付けて記憶装置に記憶させる名称登録ステップを有することを特徴とする印刷設定条件方法。
【請求項３２】
請求項１ないし３０に記載の印刷設定装置の機能を実現させるためのプログラム。
【請求項３３】
請求項３２に記載のプログラムをコンピュータ読み取り可能に記録したことを特徴とする記録媒体。
【発明の詳細な説明】
【技術分野】
【０００１】
本発明は、印刷設定装置、印刷設定条件方法、該装置の機能を実現するプログラム及び記録媒体に関し、より詳細には、印刷装置に対して送信する印刷情報に関する条件設定を行うための手段を有する情報処理装置と、その印刷設定条件方法、及びその印刷設定装置の機能を実現するプログラム及び記録媒体に関する。
【背景技術】
【０００２】
近年、プリンタ装置は、機能の増加及び高度化が進み、ユーザにとって印刷設定条件の設定が複雑で難しいものとなってきている。プリンタの印刷設定条件の設定に際しては、通常は、印刷設定条件設定を行うためのソフトウェアであるプリンタドライバの印刷設定条件画面を使用するが、そのプリンタドライバの印刷設定条件画面が複雑で、操作や各種の条件設定が煩雑であるという問題がある。特に印刷設定条件の機能の増加に従って、印刷設定条件画面を１画面で表示することが困難となり、複数の設定画面を有するものが一般的となり、印刷設定条件設定がますます煩雑なものとなっている。
【０００３】
例えば、ユーザが以前に設定した印刷設定条件と同条件で再度印刷を実行したいような場合に、従来では、ユーザによる印刷設定条件の再設定操作が必要となり、ユーザの操作負担が重いという問題点があった。
【０００４】
上記問題点を解決するために、例えば、特許文献１には、プリンタに対する印刷設定条件を設定する項目画面を表示部に表示した状態で、その項目画面で設定された組合わせ情報を、入力されるユーザ設定名とともに記憶手段に登録する発明が開示されている。
また特許文献２においては、プリンタの印刷設定条件を示す印刷設定条件項目の初期内容である印刷初期設定内容と、印刷設定条件項目の現在内容である印刷現在設定内容とを比較して、異なる設定内容を印刷設定条件表示手段に表示する発明が開示されている。
【特許文献１】特許第３３２３６８３号公報
【特許文献２】特開２００３−２１６３６２号公報
【発明の開示】
【発明が解決しようとする課題】
【０００５】
上記従来の技術において、特に複数の画面によって印刷設定条件画面が構成されている場合、現在の印刷設定条件の状態に関連した登録名称を導き出すことは困難であった。すなわち、印刷設定条件の状態に関連した登録名称を使用しておくことにより、登録名称から印刷設定条件を呼び出す際にもユーザ操作が容易で合理的な操作を行うことができるようになるが、複数画面から印刷設定条件画面が構成されている場合など、ユーザが登録名称を入力する際に印刷設定条件画面の設定状態を確認しながら最適な登録名称を入力する操作は非常に煩雑なものとなる。
【０００６】
本発明は、上述のごとき実情に鑑みてなされたものであり、登録名称を入力する画面上に現在の印刷設定条件状態を表示することで、ユーザは現在の印刷設定条件状態を確認しながら登録名称を入力することを可能とし、これによってユーザによる操作性を格段に向上させることができるようにした印刷設定装置、印刷設定条件方法、該印刷設定装置の機能を実現するプログラム及び記録媒体を提供することを目的とする。
【課題を解決するための手段】
【０００７】
上記課題を解決するために、第１の技術手段は、印刷装置に対して送信する印刷設定条件の設定を行う印刷設定装置において、印刷設定装置は、印刷設定装置に接続される表示装置に対して印刷設定条件用の印刷設定条件画面を表示する印刷設定条件画面表示手段を有し、印刷設定条件画面は、複数の印刷設定条件項目を複数の画面で表示するように構成され、印刷設定条件画面表示手段は、印刷設定条件画面において、現在設定されている印刷設定条件に対して名称を付けて登録可能とするための名称登録領域と、現在設定されている印刷設定条件を表示する印刷設定条件表示領域とを表示し、印刷設定装置は、名称登録領域に入力された登録名称を現在設定されている印設定条件に関連付けて記憶装置に記憶させる名称登録手段を有することを特徴としたものである。
【０００８】
第２の技術手段は、第１の技術手段において、現在の印刷設定条件と予め定められた印刷設定条件とを比較する印刷設定条件比較手段を有し、印刷設定条件画面表示手段は、印刷設定条件比較手段による比較結果に従って、印刷設定条件表示領域に表示させる現在の印刷設定条件の表示を変化させることを特徴としたものである。
【０００９】
第３の技術手段は、第２の技術手段において、印刷設定条件の表示の変化が、現在の印刷設定条件と予め定められた印刷設定条件とにおいて、互いに異なっている印刷設定条件項目に関わる表示情報の書体を変更することを特徴としたものである。
【００１０】
第４の技術手段は、第２の技術手段において、印刷設定条件の表示の変化が、現在の印刷設定条件と予め定められた印刷設定条件とにおいて、互いに異なっている印刷設定条件項目に関わる表示情報を大きくして表示することを特徴としたものである。
【００１１】
第５の技術手段は、第２の技術手段において、印刷設定条件の表示の変化が、現在の印刷設定条件と予め定められた印刷設定条件とにおいて、互いに異なっている印刷設定条件項目に関わる表示情報に所定のマークを付加して表示することを特徴としたものである。
【００１２】
第６の技術手段は、第２の技術手段において、印刷状態の表示の変化が、現在の印刷設定条件と予め定められた印刷設定条件とにおいて、互いに異なっている印刷設定条件項目に関わる表示情報を、他の表示情報と区別して所定の位置に表示することを特徴としたものである。
【００１３】
第７の技術手段は、第２の技術手段において、印刷状態の表示の変化が、現在の印刷設定条件と予め定められた印刷設定条件とにおいて、互いに異なっている印刷設定条件項目に関わる表示情報のみを表示することを特徴としたものである。
【００１４】
第８の技術手段は、第２の技術手段において、印刷設定条件画面表示手段が、現在設定されている印刷設定条件を印刷設定条件表示領域に表示する際に、予め定められた印刷設定条件表示領域内に、表示すべき印刷設定条件の全てが一度に表示されるように、印刷設定条件の表示情報の大きさ及び／または行間を調整することを特徴としたものである。
【００１５】
第９の技術手段は、第２の技術手段において、印刷設定条件画面表示手段が、現在設定されている印刷設定条件を印刷設定条件表示領域に表示する際に、印刷設定条件表示領域内に表示すべき印刷設定条件の表示情報を、時間の経過に従って変化させて表示することを特徴としたものである。
【００１６】
第１０の技術手段は、第１の技術手段において、印刷設定条件画面表示手段が、印刷設定条件表示領域内に、現在設定されている印刷設定条件とともに、予め定められた印刷設定条件を表示することを特徴としたものである。
【００１７】
第１１の技術手段は、第１の技術手段において、印刷設定条件画面表示手段が、現在設定されている印刷設定条件をアイコンによって表現して表示することを特徴としたものである。
【００１８】
第１２の技術手段は、第１１の技術手段において、アイコンが、複数の印刷設定条件項目の組み合わせを表現するアイコンであることを特徴としたものである。
【００１９】
第１３の技術手段は、第１１の技術手段において、アイコンが、印刷出力を表現するアイコンであることを特徴としたものである。
【００２０】
第１４の技術手段は、第１１の技術手段において、アイコンが、印刷に利用する印刷用紙の種類を表すアイコンであることを特徴としたものである。
【００２１】
第１５の技術手段は、第１１の技術手段において、アイコンが、印刷の仕上げ状態を表すアイコンであることを特徴としたものである。
【００２２】
第１６の技術手段は、第１１の技術手段において、アイコンが、印刷装置の外観を表すアイコンであることを特徴としたものである。
【００２３】
第１７の技術手段は、第１６の技術手段において、印刷装置の外観を表すアイコンにおいて、印刷に使用する印刷用紙を給紙する給紙トレイの選択状態を表すことを特徴としたものである。
【００２４】
第１８の技術手段は、第１６の技術手段において、印刷装置の外観を表すアイコンにおいて、印刷用紙を排紙する排紙トレイの選択状態を表すことを特徴としたものである。
【００２５】
第１９の技術手段は、第１１の技術手段において、アイコンが、印刷出力順序を表すアイコンであることを特徴としたものである。
【００２６】
第２０の技術手段は、第１１の技術手段において、アイコンが、印刷文書の文書スタイルを表すアイコンであることを特徴としたものである。
【００２７】
第２１の技術手段は、第１１の技術手段において、現在の印刷設定条件と予め定められた印刷設定条件とを比較する印刷設定条件比較手段を有し、印刷設定条件画面表示手段は、印刷設定条件比較手段により比較した結果、現在の印刷設定条件と予め定められた印刷設定条件とにおいて、互いに異なっている印刷設定条件項目に関わるアイコンを表示することを特徴としたものである。
【００２８】
第２２の技術手段は、第１１の技術手段において、現在の印刷設定条件と予め定められた印刷設定条件とを比較する印刷設定条件比較手段を有し、印刷設定条件画面表示手段は、印刷設定条件比較手段により比較した結果、現在の印刷設定条件と予め定められた印刷設定条件とにおいて、互いに異なっている印刷設定条件項目に関わるアイコンに所定のマークを付加して表示することを特徴としたものである。
【００２９】
第２３の技術手段は、第１１の技術手段において、印刷設定条件画面表示手段が、現在設定されている印刷設定条件を表すアイコンを表示する際に、表示すべき印刷設定条件を表すアイコンを、時間の経過に従って変化させて表示することを特徴としたものである。
【００３０】
第２４の技術手段は、第１１の技術手段において、印刷設定条件画面表示手段が、現在設定されている印刷設定条件を表すアイコンとともに、予め定められた印刷設定条件を表すアイコンを表示することを特徴としたものである。
【００３１】
第２５の技術手段は、第１の技術手段において、現在の印刷設定条件と予め定められた印刷設定条件とを比較する印刷設定条件比較手段を有し、印刷設定条件画面表示手段は、印刷設定条件比較手段により比較した結果、現在の印刷設定条件と予め定められた印刷設定条件とにおいて、互いに異なっている印刷設定条件項目に関連した名称を名称登録領域に表示することを特徴としたものである。
【００３２】
第２６の技術手段は、第１の技術手段において、印刷設定条件画面表示手段が、印刷設定条件項目を表示する複数の画面のそれぞれから、名称登録領域及び印刷設定条件表示領域を表示する画面に移行可能としたことを特徴としたものである。
【００３３】
第２７の技術手段は、第１の技術手段において、印刷設定条件画面表示手段は、名称登録領域及び印刷設定条件表示領域を表示する際に、印刷設定条件入力を受け付けるために表示されていた複数の印刷設定条件項目を非表示状態とすることを特徴としたものである。
【００３４】
第２８の技術手段は、第１の技術手段において、印刷設定条件画面表示手段が、印刷設定条件表示領域に現在の印刷設定条件を表示する際、相互に関連する複数の印刷設定条件項目を一つの印刷設定条件項目にまとめて印刷設定条件項目に対応する印刷設定条件を表示することを特徴としたものである。
【００３５】
第２９の技術手段は、第１の技術手段において、記憶装置にすでに記憶されている印刷設定条件の登録名称を検索し、現在表示されている印刷設定条件と同じ印刷設定条件に該当する登録名称を抽出し、抽出した登録名称を名称登録領域に表示することを特徴としたものである。
【００３６】
第３０の技術手段は、第２の技術手段において、印刷設定条件比較手段により比較した結果、現在の印刷設定条件と予め定められた印刷設定条件とにおいて、互いに異なっている印刷設定条件項目の表示位置を、予め定めた優先順位に従って制御することを特徴としたものである。
【００３７】
第３１の技術手段は、印刷装置に対して送信する印刷設定条件の設定を行う印刷設定条件方法において、印刷設定装置に接続される表示装置に対して印刷設定条件用の印刷設定条件画面を表示する印刷設定条件画面表示ステップを有し、印刷設定条件画面は、複数の印刷設定条件項目を複数の画面で表示するように構成され、印刷設定条件画面表示ステップは、印刷設定条件画面において、現在設定されている印刷設定条件に対して名称を付けて登録可能とするための名称登録領域と、現在設定されている印刷設定条件を表示する印刷設定条件表示領域とを表示し、さらに名称登録領域に入力された登録名称を現在設定されている印設定条件に関連付けて記憶装置に記憶させる名称登録ステップを有することを特徴としたものである。
【００３８】
第３２の技術手段は、第１ないし第３０における印刷設定装置の機能を実現させるためのプログラムである。
【００３９】
第３３の技術手段は、第３２におけるプログラムをコンピュータ読み取り可能に記録したことを特徴とする記録媒体である。
【発明の効果】
【００４０】
本発明によれば、印刷設定装置に接続される表示装置に対して印刷設定条件用の印刷設定条件画面を表示する印刷設定条件画面表示手段を有し、印刷設定条件画面が複数の印刷設定条件項目を複数の画面で表示するように構成され、上記印刷設定条件画面表示手段が、現在設定されている印刷設定条件に対して名称を付けて登録可能とするための名称登録領域と、現在設定されている印刷設定条件を表示する印刷設定条件表示領域とを表示し、その名称登録領域に入力された登録名称を現在設定されている印設定条件に関連付けて記憶装置に記憶させることにより、ユーザは現在の印刷設定条件状態を確認しながら、登録名称を入力することが可能となり、操作性を向上させることができる。
【００４１】
また現在の印刷設定条件と予め定められた印刷設定条件とを比較する印刷設定条件比較手段を有し、印刷設定条件画面表示手段が、上印刷設定条件比較手段による比較結果に従って、印刷設定条件表示領域に表示させる現在の印刷設定条件の表示を変化させることにより、デフォルト等予め設定された印刷設定条件と異なる印刷設定条件状態をユーザに認識させることができ、ユーザによる登録名称の入力が容易となる。
【００４２】
また現在の印刷設定条件と予め定められた印刷設定条件とにおいて、互いに異なっている印刷設定条件項目に関わる表示情報の書体を変更することにより、ユーザに設定状態の相違をさらに認識させやすくすることができる。
【００４３】
また現在の印刷設定条件と予め定められた印刷設定条件とにおいて、互いに異なっている印刷設定条件項目に関わる表示情報を大きくして表示することにより、ユーザに設定状態の相違をさらに認識させやすくすることができる。
【００４４】
また現在の印刷設定条件と予め定められた印刷設定条件とにおいて、互いに異なっている印刷設定条件項目に関わる表示情報に所定のマークを付加して表示することにより、ユーザに注目を与えることができ、ユーザに印刷設定条件状態の相違をさらに認識させやすくすることができる。
【００４５】
また現在の印刷設定条件と予め定められた印刷設定条件とにおいて、互いに異なっている印刷設定条件項目に関わる表示情報を、他の表示情報と区別して所定の位置に表示することにより、設定状態が異なる印刷設定条件項目をさらにユーザに認識させやすくすることができる。
【００４６】
また現在の印刷設定条件と予め定められた印刷設定条件とにおいて、互いに異なっている印刷設定条件項目に関わる表示情報のみを表示することにより、印刷設定条件表示領域が狭い場合にも操作性を向上させることができる。
【００４７】
また現在設定されている印刷設定条件を印刷設定条件表示領域に表示する際に、予め定められた印刷設定条件表示領域内に、表示すべき印刷設定条件の全てが一度に表示されるように、印刷設定条件の表示情報の大きさ及び／または行間を調整することにより、ユーザに現在の設定状態の全容を容易に認識させることができるようになる。
【００４８】
また現在設定されている印刷設定条件を印刷設定条件表示領域に表示する際に、印刷設定条件表示領域内に表示すべき印刷設定条件の表示情報を、時間の経過に従って変化させて表示することにより、印刷設定条件表示領域が狭い場合でも、ユーザが操作することなく自動的に画面スクロール等を行うことができ、これにより、ユーザに印刷設定条件状態を認識させることが可能となり、ユーザによる操作性を向上させることができる。
【００４９】
また印刷設定条件表示領域内に、現在設定されている印刷設定条件とともに、予め定められた印刷設定条件を表示することにより、デフォルト等の予め定めた印刷設定条件と現在の印刷設定条件との違いを、ユーザにより明確にさせることができる。
【００５０】
また現在設定されている印刷設定条件をアイコンによって表現して表示することにより、現在の印刷設定条件の状態を、ユーザにさらにわかりやすくさせることができる。
【００５１】
また上記のアイコンとして、複数の印刷設定条件項目の組み合わせを表現するアイコンを用いることにより、アイコン表示領域を節約して小さくすることができる。
【００５２】
また上記のアイコンとして、印刷出力を表現するアイコンを用いることにより、印刷出力イメージをユーザに認識させることが可能となり、ユーザによる登録名称の入力がさらに容易となる。
【００５３】
また上記のアイコンとして、印刷に利用する印刷用紙の種類を表すアイコンを用いることにより、印刷に使用する用紙をユーザに認識させることが可能となり、ユーザによる登録名称の入力がさらに容易となる。
【００５４】
また上記アイコンとして、ステープルやパンチ等の印刷の仕上げ状態を表すアイコンを用いることにより、印刷の仕上げ状態をユーザに認識させることが可能となり、ユーザによる登録名称の入力がさらに容易となる。
【００５５】
また上記アイコンとして、印刷装置の外観を表すアイコンを用いることにより、印刷に利用する印刷装置をユーザに認識させることが可能となり、ユーザによる登録名称の入力がさらに容易となる。
【００５６】
また上記の印刷装置の外観を表すアイコンにおいて、印刷に使用する印刷用紙を給紙する給紙トレイの選択状態を表すことにより、印刷に利用する用紙の給紙トレイをユーザに認識させることが可能となり、ユーザによる登録名称の入力がさらに容易となる。
【００５７】
また上記の印刷装置の外観を表すアイコンにおいて、印刷用紙を排紙する排紙トレイの選択状態を表すことにより、印刷用紙の排紙先をユーザに認識させることが可能となり、ユーザによる登録名称の入力がさらに容易となる。
【００５８】
また上記アイコンとして、印刷出力順序を表すアイコンを用いることにより、印刷の出力順序（複数部数の出力順序）をユーザに認識させることが可能となり、ユーザによる登録名称の入力がさらに容易となる。
【００５９】
また上記アイコンとして、印刷文書の文書スタイルを表すアイコンを用いることにより、片面印刷や両面印刷等の文書スタイルをユーザに認識させることが可能となり、ユーザによる登録名称の入力がさらに容易となる。
【００６０】
また現在の印刷設定条件と予め定められた印刷設定条件とを比較した結果、互いに異なっている印刷設定条件項目に関わるアイコンを表示することにより、ユーザに印刷設定条件の相違をさらに認識させやすくすることができる。
【００６１】
また現在の印刷設定条件と予め定められた印刷設定条件とを比較した結果、互いに異なっている印刷設定条件項目に関わるアイコンに所定のマークを付加して表示することにより、デフォルト等の予め定められた印刷設定条件と異なる印刷設定条件項目をユーザに認識させることがさらに容易となる。
【００６２】
また現在設定されている印刷設定条件を表すアイコンを表示する際に、表示すべき印刷設定条件を表すアイコンを、時間の経過に従って変化させて表示することにより、アイコンの表示領域が狭い場合でも、ユーザが操作することなく、ユーザに設定状態を容易に認識させることが可能となる。
【００６３】
また現在設定されている印刷設定条件を表すアイコンとともに、予め定められた印刷設定条件を表すアイコンを表示することにより、印刷設定条件の状態をユーザにより明確にさせることができる。
【００６４】
また現在の印刷設定条件と予め定められた印刷設定条件とを比較した結果、互いに異なっている印刷設定条件項目に関連した名称を名称登録領域に表示することにより、登録名称の入力に関わる手間を省くことができる。
【００６５】
また印刷設定条件項目を表示する複数の画面のそれぞれから、名称登録領域及び印刷設定条件表示領域を表示する画面に移行可能としたことにより、現在の印刷設定条件状態を確認する画面、及び登録名称を入力する画面へのアクセスが容易となる。
【００６６】
また名称登録領域及び印刷設定条件表示領域を表示する際に、印刷設定条件入力を受け付けるために表示されていた複数の印刷設定条件項目を非表示状態とすることにより、ユーザに現在の印刷設定条件の状態をより把握させやすくすることができる。
【００６７】
また印刷設定条件表示領域に現在の印刷設定条件を表示する際、相互に関連する複数の印刷設定条件項目を一つの印刷設定条件項目にまとめて印刷設定条件項目に対応する印刷設定条件を表示することにより、印刷設定条件の状態を表示する領域を狭くすることが可能となり、ユーザによる登録名称の入力がさらに容易になる。
【００６８】
また記憶装置にすでに記憶されている印刷設定条件の登録名称を検索し、現在表示されている印刷設定条件と同じ印刷設定条件に該当する登録名称を抽出し、その抽出した登録名称を名称登録領域に表示することにより、すでに登録済みの印刷設定条件状態との差をユーザに認識させられるので、さらにユーザによる登録名称の入力が容易になる。
【００６９】
また現在の印刷設定条件と予め定められた印刷設定条件とにおいて、互いに異なっている印刷設定条件項目の表示位置を、予め定めた優先順位に従って制御することにより、予め定められた印刷設定条件と異なる印刷設定条件項目をユーザに認識させることが容易となり、ユーザによる登録名称の入力がさらに容易になる。
【発明を実施するための最良の形態】
【００７０】
図１は、本発明の印刷設定装置の一例における機能を説明するための図である。印刷設定装置１は、印刷データ及びその印刷データを印刷するための印刷設定条件を含む印刷ジョブを送出し、プリンタ２では印刷設定装置１から送出された印刷データを印刷出力する。
【００７１】
印刷設定装置１は、プリンタ２を制御するために出力データの処理等を行うプリンタドライバ１２を備え、アプリケーションプログラム１４にて作成した文書に対応した印刷データと、この文書を印刷するために設定された印刷設定条件データとを印刷ジョブとして、これらをデータ送受信部１３からネットワーク等の通信路を介してプリンタ２に送出する。プリンタドライバ１２とデータ送受信部１３は、印刷設定装置１のＯＳ１１上で動作している。この印刷設定装置１は、例えばＰＣ等の情報処理装置によって実現することができる。
【００７２】
プリンタ２は、印刷設定装置２から送出される印刷ジョブに従って印刷データの印刷を行う。具体的には、プリンタ２は、印刷ジョブに含まれる印刷設定条件データ（用紙方向、両面、集約、製本、ステープル、パンチ、拡大／縮小等）に従って、印刷ジョブに含まれる印刷データを紙などのメディアに印刷する。印刷設定装置１から送信された印刷データ及び印刷設定条件データは、プリンタ２のＯＳ上で動作するデータ送受信部で受信される。そして受信された印刷設定条件データはそのプリンタコマンドが解析され、その解析結果に従って印刷データが印刷出力される。
【００７３】
図２は、本発明の印刷設定装置のハードウェアの構成例を説明するためのブロック図である。印刷設定装置１は、印刷設定装置１本体を統括的に制御するＣＰＵ（中央処理装置）２１、各種のプログラムやデータ等を記憶するＲＯＭ２２、各種のデータを一時的に記憶するワークエリアとして用いられるＲＡＭ２３、各種のプログラムやデータ等を記憶するＨＤＤ（ハードディスク装置）２４、ネットワークを通じてプリンタ２に接続されるネットワークインターフェース部２７、ディスプレイ３０に接続されるディスプレイインターフェース部２６、キーボード２９やポインティングデバイス（例えばマウス）２８等に接続される入力インターフェース部２５等を備えている。
【００７４】
ＣＰＵ２１は、ＨＤＤ２４からオペレーティングシステム（ＯＳ）やアプリケーションソフトウェア等を読み出し、先に述べた様にオペレーティングシステムを基にして、アプリケーションソフトウェアを実行し、ネットワークインターフェース部２７を通じて、プリンタ２を制御したり、ディスプレイインターフェース部２６を通じて、ディスプレイ（表示装置）３０を表示制御したり、入力インターフェース部２５を通じて、キーボード２９やマウス２８等の入力装置からのデータや指示を入力し、これによりインターフェース処理部を構築する。従ってＣＰＵ２１は、オペレーティングシステム１１やアプリケーションプログラム１４等の機能を具現化するものである。
また上記プリンタドライバ１２の機能を実現するプログラムが本発明のプログラムの一実施形態として機能する。
【００７５】
図３は、上記実施形態のプリンタドライバが備えるモジュール構成を説明するための図である。プリンタドライバは、アプリケーションプログラムとの通信を行う通信部１０１と、プリンタドライバから出力する出力データを生成する出力データ生成部１０２と、プリンタドライバの印刷設定条件を設定するためのプリンタドライバ設定部１０３と、印刷設定条件に関するユーザ設定を登録するユーザ設定登録部１０４と、初期状態の印刷条件設定を保持する印刷設定条件の初期状態保持部１０５と、印刷設定条件画面等に表示する表示用テキストデータを保持する表示用テキストデータ保持部１０６と、印刷設定条件画面等に表示する表示用アイコンデータを保持する表示用アイコンデータ保持部１０７とを備えている。
【００７６】
以下に本発明の印刷設定装置による印刷条件の設定画面例を参照しながら、印刷設定装置の機能について説明する。各印刷設定条件の設定画面（印刷設定条件画面）は、印刷設定装置１のＨＤＤ２４等に格納されたプリンタドライバ１２によって生成され、印刷設定装置１に接続された表示手段であるディスプレイ３０の表示画面に表示される。ユーザは、キーボード２９やマウス２８等のポインティングデバイスを使用して、これら印刷設定条件画面からプリンタドライバの各種条件を設定することができる。ここで本発明の印刷設定画面表示手段は、プリンタドライバ設定部１０３によって実現される。
【００７７】
図４及び図５は、プリンタドライバの印刷設定条件画面の構成例をそれぞれ示す図で、印刷設定条件画面を構成する複数の画面をそれぞれ示す図である。図４及び図５において、プリンタドライバの印刷設定条件画面は、複数の画面によって構成されている。すなわち、印刷設定条件画面は、メイン（Main）タブ２０２と、ペーパー(Paper)タブ２０３とによるタブ構成となっていて、ユーザがマウス等のポインティングデバイスでいずれかのタブを選択することにより、メインタブ２０２を選択したときには図４に示す印刷設定条件画面２０１ａが表示され、ペーパータブ２０３を選択したときには図５に示す印刷設定条件画面２０１ｂが表示される。
【００７８】
各印刷設定条件画面２０１ａ，２０１ｂには、共通のユーザ設定領域２１０と、各タブに対応した画面毎にそれぞれ設定された印刷設定条件領域２２０，２４０とが設けられている。ユーザ設定領域２１０は、メイン（Main）タブ２０２とペーパー(Paper)タブ２０３とのいずれの画面においても共通に表示される領域で、ここでは、現在の印刷設定条件の設定状態に対して名称を付けて登録可能とするための名称入力部２１１が設けられている。ユーザは、現在の印刷設定条件の設定内容に対して、任意の登録名称を付与して名称入力部２１１に入力することができる。そして“Save”２１２をポインティングすることにより、図６の表示画面に移行する。図６の表示画面については後述する。
【００７９】
図４に示すメインタブ２０２に該当する印刷設定条件画面２０１ａにおいて、印刷設定条件領域２２０には、部単位やページ単位の印刷枚数／部数を設定するための“Copies”２２１、部数単位で複数部数印刷する場合の設定“Collate”２２３、印刷する文書スタイルを設定するための“Document Style”２２４、各頁を縮小して１枚の印刷用紙に複数のページを印刷するための“Ｎ−Ｕｐ”２２６、印刷された印刷用紙にステープルやパンチ等を施す設定を行うための“Finishing”２２７が設けられている。
【００８０】
上記“Document Style”２２４には、“Pamphlet Style”を選択したときのパンフレットスタイルの指定領域２２５が設けられている。また、上記“Finishing”２２７には、印刷用紙の綴じる側を設定するための“Binding Edge”２２８と、ステープルの有無を設定するための“Staple”２２９と、パンチの有無を設定するための“Punch”２３０とが設けられている。また印刷設定条件領域２２０の下部には、各設定を確定する“OK”２３１と、それらをキャンセルするための“キャンセル”２３２が設けられている。
【００８１】
図５に示すペーパータブ２０３に該当する印刷設定条件画面２０１ｂにおいて、印刷設定条件領域２４０には、印刷用紙のサイズを指定するための“Size”２４１、印刷画像の大きさを印刷用紙に合わせる設定を行うための“Fit To Paper Size”２４２、印刷用紙の向きを設定するための“Image Orientation”２４５、印刷用紙を選択するための“Paper Selection”２4６、印刷用紙の排出先を設定するための“Output”２４８が設けられている。
【００８２】
上記“Fit To Paper Size ”２４２には、その機能を有効にするためのチェックボックス２４３と、印刷用紙サイズを設定するための領域２４４が設けられている。また、上記“Paper Selection”２４６には、給紙トレイを設定するための領域２４７が設けられている。また印刷設定条件領域２４０の下部には、各設定を確定する“OK”２４９と、それらをキャンセルするための“キャンセル”２５０が設けられている。
【００８３】
図６は、現在の印刷設定条件を一覧で確認可能とする印刷設定条件画面の一例を示す図である。上記のようにユーザ設定領域２１０の“Save”２１２をポインティングすると、図６に示すユーザ登録画面３０１が表示される。ユーザ登録画面３０１は印刷設定条件画面の一つを構成するものである。
このときに、図４または図５に示す名称入力部２１１に登録名を入力しない状態で、“Save”２１２をポインティングすると、図６に示すユーザ登録画面３０１に、現在の印刷設定条件の内容が一覧になった設定一覧表示領域３０３が表示される。設定一覧表示領域３０３に表示される印刷設定条件は、図４及び図５に示した印刷設定条件領域２２０，２４０において設定されている各印刷設定条件の内容が一覧となったものである。
【００８４】
ユーザは、設定一覧表示領域３０３に表示された現在の印刷設定条件の内容を確認し、その印刷設定条件を登録するための登録名称を名称登録部３０２に入力する。そして“ＯＫ”３１０をポインティングすることにより、名称登録部３０２に入力した登録名称と、設定一覧表示領域３０３に表示された印刷設定条件の内容とが関連付けられて印刷設定装置に登録保持される。ユーザによって入力された登録名称を登録するモジュールは、図２のユーザ設定登録部１０４であって、登録名称と印刷設定条件は、ＨＤＤ２４またはＲＡＭ２３に登録保持される。
上記名称登録部３０２は、本発明の名称登録領域に該当し、設定一覧表示領域３０３は、本発明の印刷設定表示領域に該当する。また、上記印刷設定条件と登録名称とを関連付けて登録する本発明の名称登録手段は、図３の印刷設定登録部１０４によって実現される。
【００８５】
ここで図４及び図５の名称入力部２１１にすでに登録されている名称を入力すると、各印刷設定条件画面２０１ａ，２０１ｂには、その登録名称に関連付けられて記憶されている印刷設定条件が表示される。図４及び図５の例では、製品出荷時のデフォルトの登録名称“Factory Defaults”が表示され、各印刷設定条件画面２０１ａ，２０１ｂには、デフォルトの印刷設定条件が表示される。ここで、ユーザはその印刷設定条件を用いて一部または全ての印刷設定条件項目の内容を変更し、新たな登録名称を付与して印刷設定条件を登録することができる。
【００８６】
ここではユーザによる設定登録を行うために、ユーザ登録画面３０１は複数の印刷設定条件画面、すなわちここでは印刷設定条件画面２０１ａ，２０１ｂのいずれからも表示させることができ、現在の設定状態を確認して登録を行うためのユーザ登録画面３０１へのアクセスが容易となっている。
【００８７】
また図６に示すように、ユーザ登録画面３０１には、現在の印刷設定条件をアイコン化して表示するアイコン表示領域３０４が設定されている。アイコン表示領域３０４には、現在の印刷設定条件を示すアイコンが予め定められた形態で表示される。
【００８８】
例えば図６の例では、第１アイコン３０５によって、Ｎ−Ｕｐが１−Ｕｐ（１枚の印刷用紙に１頁分を印刷）であり、かつ印刷用紙の向きがPortrait（縦印刷）であることが示されている。さらに第１アイコン３０５では、ステープルはNone（なし）で、パンチがOff（なし）であることが分かる。
また第２アイコン３０６によって、上記第１アイコン３０５で示される印刷用紙のレイアウトの概略が分かるようになっている。
【００８９】
また第３アイコン３０７は、CollateがＯｎ（有り）であって、複数ページからなる部単位の印刷を複数部数行うことが分かるようになっている。さらに第４アイコン３０８では、印刷を行うプリンタの外観が示され、ユーザは、印刷を行うプリンタとして指定されているプリンタを、その第４アイコン３０８から認識することができる。
【００９０】
上記のように、本実施形態では印刷設定条件に名称をつけて登録可能とし、かつ名称を登録するユーザ登録画面３０１において、印刷設定条件に対して名称を登録できる名称登録部３０２と、設定一覧表示領域３０３とを同時に表示することにより、ユーザは現在の印刷設定条件状態を確認しながら、登録名称を入力することが可能となり、操作性を向上させることができる。またさらに、ユーザ登録画面３０１において、印刷設定条件をビジュアルなアイコンで確認することができるアイコン表示領域３０４を表示することにより、ユーザによる操作性を更に向上させることができる。
【００９１】
また上記図４及び図５に示す名称入力部２１１に、過去に登録した登録名称を入力することにより、各印刷設定条件領域２２０，２４０には、その登録名称に該当する印刷設定条件が表示される。この登録名称には、製造出荷時のデフォルトの名称“Factory Defaults”も含まれる。そしてユーザは、その登録名称に対応する印刷設定条件を用いて、その一部の印刷設定条件を変更して、あらたな登録名称を付与して登録することもできる。このときに、図６に示すようなユーザ登録画面３０１を表示させることによって、印刷設定条件の現在の内容を確認しながら、新たな登録名称による印刷設定条件登録を行うことができる。
【００９２】
本実施形態において、上記設定一覧表示領域３０３に印刷設定条件の一覧を表示する際に、予め定められた印刷設定条件（基準印刷設定条件とする）と現在の印刷設定条件とを比較し、現在の印刷設定条件において、上記基準印刷設定条件と異なる項目があれば、その印刷設定条件の項目についてのみ、設定一覧表示領域３０３の表示状態を変化させる。
【００９３】
また同様に、アイコン表示領域３０４に現在の印刷設定条件に応じたアイコンを表示する際に、予め定められた印刷設定条件（基準印刷設定条件）と現在の印刷設定条件とを比較し、現在の印刷設定条件において、上記基準印刷設定条件と異なる項目があれば、その印刷設定条件の項目に対応するアイコンについて、アイコン表示領域３０４の表示状態を変化させる。
【００９４】
またこれら設定一覧表示領域３０３の表示の変更と、アイコン表示領域３０４の表示の変更とは、いずれか一方のみを実行してもよく、また両方を同時に変更させるようにしてもよい。このように、予め定められた印刷設定条件とは異なる印刷設定条件の項目について、他の項目に対して異なる表示形態で表示を行うことにより、ユーザは、その異なる印刷設定条件の項目を容易に認識することができ、登録名称の決定と登録を容易に実行できるようになる。この基準印刷設定条件と現在の印刷設定条件との比較は、図３のプリンタドライバ設定部１０３が行っている。
【００９５】
なお上記の基準印刷設定条件は、製造出荷時のデフォルトの印刷設定条件であってもよく、またユーザが任意に定めた印刷設定条件としてもよい。また、基準印刷設定条件と異なる印刷設定条件項目の中から、一部の印刷設定条件項目についてのみ表示を変化させてもよい。例えば、“Image Orientation”のような印刷用紙の向きを設定する項目の場合、一般的にはデフォルトの状態は“Portrait”（縦向き）であるが、印刷用紙の向きは印刷する文書の設定に依存するので、“Landscape”（横向き）に設定されていた場合でも表示を変化させないようにすることができる。すなわち、上記“Image Orientation”のように印刷文書に応じて頻繁に変化するような項目は、他の項目と区別して、基準印刷設定条件とは異なっていてもあえて表示を変化させないようにしてもよい。
【００９６】
上記の基準印刷設定条件と異なる印刷設定条件項目の表示の変化の具体例について説明する。
図７は、基準印刷設定条件と異なる印刷設定条件項目の表示例を示す図である。上記の設定一覧表示領域３０３に表示させる印刷設定条件に関し、本例では、予め定めた基準印刷設定条件と異なる印刷設定条件項目については、他の項目に対してその書体を変更して表示する。すなわち、図７に示すように、例えば、項目“Ｎ−Ｕｐ”３１２の印刷設定条件が、基準印刷設定条件と異なる場合に、その設定条件についてのみ斜体文字を用い、かつフォントサイズを他の項目に比して大きくして表示する。これによりユーザは、基準印刷設定条件と異なる印刷設定条件項目を容易に認識することができる。
【００９７】
勿論、本例のように斜体文字とフォントサイズとの組み合わせに限ることなく、これらを単独で使用してもよく、また文字の太さの変更、イタリック体やゴシック体等による字体の変更、アンダーラインや網掛けなどによる区別、表示色の変更、及びこれらの組み合せ等により、印刷設定条件が異なる項目と、他の項目との間で書体が区別できるように変更されていればよい。
【００９８】
図８は、基準印刷設定条件と異なる印刷設定条件項目の他の表示例を示す図である。本例では、予め定めた基準印刷設定条件と異なる印刷設定条件項目については、所定のマークを付加して表示する。例えば、図８に示すように、項目“Ｎ−Ｕｐ”３１２の設定条件が基準印刷設定条件と異なる場合に、その設定条件項目に対して“変更”という文字を含む所定のマーク３１３を表示する。マーク３１３を付与して表示することにより、ユーザが注目しやすくなるため、基準印刷設定条件と異なる印刷設定条件項目をユーザがより容易に認識できるようになる。
【００９９】
図９は、基準印刷設定条件と異なる印刷設定条件項目の更に他の表示例を示す図である。本例では、予め定めた基準印刷設定条件と異なる印刷設定条件項目について、通常の表示位置から抜き出して、所定の表示位置（例えば表示画面の最上部）に区別して表示する。そして、基準印刷設定条件と同じ印刷設定条件項目については、その異なる印刷設定条件項目に付加して表示する。
【０１００】
例えば図９に示すように、項目“Ｎ−Ｕｐ”３１２の設定条件が、基準印刷設定条件と異なる場合に、その印刷設定条件項目を表示画面の最上部に表示し、かつ“〈Changed〉”３１４という見出しを付けて、基準印刷設定条件と異なる印刷設定条件項目を、他の項目とは区別して表示できるようにする。
そして、上記“〈Changed〉”３１４で括られた項目“Ｎ−Ｕｐ”３１２の後に、他の印刷設定条件項目を付加して表示する。これによりユーザは、基準印刷設定条件と異なる印刷設定条件項目をより容易に認識することができる。
【０１０１】
図１０は、基準印刷設定条件と異なる印刷設定条件項目の更に他の表示例を示す図である。本例では、予め定めた基準印刷設定条件と異なる印刷設定条件項目についてのみ設定一覧表示領域３０３に表示する。そして、基準印刷設定条件と同じ印刷設定条件項目については、設定一覧表示領域３０３に表示しないようにする。
【０１０２】
例えば図１０に示すように、項目“Ｎ−Ｕｐ”３１２の設定条件が、基準印刷設定条件と異なる場合に、その印刷設定条件項目のみを表示画面の設定一覧表示領域３０３に表示する。これによりユーザは、基準印刷設定条件と異なる印刷設定条件項目をより容易に認識することができる。特に、上記設定一覧表示領域３０３が狭い場合に、ユーザの視認性と操作性とを向上させることができる。
【０１０３】
図１１は、設定一覧表示領域に表示する印刷設定条件項目の他の表示例を示す図である。本例では、設定一覧表示領域３０３に印刷設定条件項目を表示する際に、表示すべき印刷設定条件項目の全てが、設定一覧表示領域３０３の表示領域内に収まるように表示する。このときに、設定一覧表示領域３０３に全ての印刷設定条件項目が収まるように、適宜、フォントサイズや行間を変更する。これにより、印刷設定条件項目の数に関係なく、現在の設定状態の全容をユーザに一度に認識させることが可能となる。またこのときに、上記の実施形態により、基準印刷設定条件と現在の印刷設定条件とを比較した結果、設定一覧表示領域３０３に表示させる印刷設定条件項目の表示状態が変化する場合であっても、これらの表示すべき印刷設定条件項目の全てを設定一覧表示領域３０３に表示できるように、そのフォントや行間を調整する。
【０１０４】
図１２は、設定一覧表示領域に表示する印刷設定条件項目の更に他の表示例を示す図である。本例では、設定一覧表示領域３０３に印刷設定条件項目を表示する際に、表示すべき印刷設定条件項目を時間の経過に従って変化させるようにする。
例えば、設定一覧表示領域３０３に印刷設定条件項目を表示させる際に、所定のスクロール速度で印刷設定条件項目をスクロール表示させる。スクロール表示は、例えば、図１２（Ａ）から図１２（Ｂ）の状態になるように表示される。
また設定一覧表示領域３０３に表示させる印刷設定条件項目を、所定時間間隔で切り替えてスライドショー形式で表示させるようにしてもよい。このような表示の切り替えは、設定一覧表示領域３０３が狭いときに特に有効であり、ユーザの視認性と操作性を向上させることができる。
【０１０５】
図１３は、設定一覧表示領域に表示する印刷設定条件項目の更に他の表示例を示す図である。本例では、設定一覧表示領域３０３に印刷設定条件項目を表示する際に、上記基準印刷設定条件と現在の印刷設定条件とを比較した結果、基準印刷設定条件と異なる印刷設条件項目については、現在の印刷設定条件とともに、基準印刷設定条件の内容も表示する。
例えば、図１３に示すように、設定一覧表示領域３０３において、項目“Ｎ−Ｕｐ”３１２の設定条件が基準印刷設定条件と異なる場合に、現在の設定条件３１５とともに、基準印刷設定条件３１６を表示する。これにより、ユーザに対して、基準印刷設定条件と現在の印刷設定条件との違いを容易に認識させることができる。
【０１０６】
次いで、図６に示すユーザ登録画面３０１に表示させるアイコン表示領域３０４の表示例について説明する。
図６を参照して上述したように、ユーザ登録画面３０１には現在の印刷設定条件をアイコン化して表示するアイコン表示領域３０４が設定されている。アイコン表示領域３０４には、現在の印刷設定条件を示すアイコンが予め定められた形態で表示される。
【０１０７】
ここでアイコン表示領域３０４には、複数の印刷設定条件項目の組み合わせを表現するアイコンを表示することができる。例えば、上述のように、第１アイコン３０５によって、Ｎ−Ｕｐが１−Ｕｐ（１枚の印刷用紙に１頁分を印刷）であり、かつ印刷用紙の向きがPortrait（縦印刷）であって、ステープルはNone（なし）で、パンチがOff（なし）であることが分かる。すなわち、複数の印刷設定条件項目を一つのアイコンで表示できるようにすることで、アイコン表示領域３０４を有効に利用することができ、またアイコン表示領域３０４が狭い場合であっても、多くの情報を有効に表示することができるようになる。
【０１０８】
図１４は、アイコン表示領域におけるアイコンの表示例を示す図である。本例では、アイコン表示領域３０４に表示させるアイコンとして、印刷出力をイメージしたアイコンを表示する。例えば、図６の第１アイコン３０５では、Ｎ−Ｕｐが１−ｕｐ（１枚の印刷用紙に１頁分を印刷）であるイメージを表示している。また図１４のように、第１アイコン３０５として、Ｎ−Ｕｐが２−Ｕｐ（１枚の印刷用紙に２頁分を印刷する）であるイメージを表示することもできる。これにより、印刷出力のイメージをユーザに認識させることが可能となり、登録名称の入力が更に容易となる。
【０１０９】
図１５は、アイコン表示領域におけるアイコンの他の表示例を示す図である。本例では、アイコン表示領域３０４に表示させるアイコンとして、印刷に利用する印刷用紙の種類を表すアイコンを表示する。例えば、図１５に示すように、印刷用紙として封筒を使用するイメージをアイコンとして表示する。ここでは、例えば図６に示す第１ないし第４アイコン３０５〜３０８に加えて、あるいはこれらのアイコンに代えて適宜印刷用紙の種類を表すアイコンを表示することができる。
【０１１０】
勿論本例では封筒に限ることなく、印刷用紙の種類を表すアイコンであれば適宜表示することができる。印刷用紙の種類としては、例えば、光沢紙、写真用紙、ＯＨＰ用紙、はがき等各種の種類があり、これらを表現するアイコンを適宜定めて表示できるようにすればよい。このように、印刷用紙の種類をアイコンで表示することにより、ユーザに印刷用紙の種類を認識させることができ、登録名称の入力が更に容易となる。
【０１１１】
図１６は、アイコン表示領域におけるアイコンの更に他の表示例を示す図である。本例では、アイコン表示領域３０４に表示させるアイコンとして、印刷の仕上げ状態を表すアイコンを表示する。例えば、図１６に示すように、上記の第１アイコン３０５に対して、ステープルやパンチ等の仕上げ状態を認識させる表示（ステープル表示３２１，パンチ表示３２２）を行うことができる。これらステープル表示３２１やパンチ表示３２２がアイコンに付与されている場合には、これらの機能がＯＮであり、かつ印刷用紙におけるステープルやパンチの場所をユーザが知ることができる。このように、印刷の仕上げの状態を表すアイコンを表示することにより、ユーザに印刷用紙の仕上げ状態を認識させることができ、登録名称の入力が更に容易となる。
【０１１２】
図１７は、アイコン表示領域におけるアイコンの更に他の表示例を示す図である。本例では、アイコン表示領域３０４に表示させるアイコンとして、印刷装置の外観を表すアイコンを表示する。例えば、図６を参照して上述した第４アイコン３０８では、印刷を行うプリンタの外観がアイコンによって示され、ユーザは、印刷を行うプリンタとして指定されているプリンタを、その第４アイコン３０８から認識することができ、これによって登録名称の入力を容易に行うことができる。
【０１１３】
そしてさらに本例では、図１７に示すように、印刷に使用する印刷用紙を給紙する給紙トレイの選択状態を示すアイコンを表示してもよい。図１７では、第４アイコン３０８によって示される印刷装置において、現在選択されている給紙トレイの位置３２３を強調表示や反転表示等の手法によって明示的に表示する。これにより、印刷に利用する印刷用紙の給紙トレイをユーザに認識させることが可能となり、登録名称の入力が更に容易となる。
【０１１４】
図１８は、アイコン表示領域におけるアイコンの更に他の表示例を示す図である。本例では、上記印刷装置の外観を表すアイコンにおいて、現在選択されている排紙トレイの位置３２４を強調表示や反転表示等の手法によって明示的に表示する。これにより、印刷に利用する印刷用紙の排紙トレイをユーザに認識させることが可能となり、登録名称の入力が更に容易となる。
【０１１５】
図１９は、アイコン表示領域におけるアイコンの更に他の表示例を示す図である。本例では、上記印刷装置の外観を表すアイコンにおいて、印刷出力順序を示すアイコンを表示する。図１９の例は、図６に示した第３アイコン３０７と同様の形態である。ここでは、第３アイコン３０７は、CollateがＯｎ（有り）であって、複数ページからなる部単位の印刷を複数部数行うことが分かるようになっている。そして、印刷出力は、複数ページからなる部単位で、最初のページから順番に最後のページまで印刷され、次いで複数部数のうちの次の部単位の印刷が行われることがアイコンによって認識できる。これにより、印刷出力順序（複数部数の出力順序）をユーザに認識させることが可能となり、登録名称の入力が更に容易となる。
【０１１６】
図２０は、アイコン表示領域におけるアイコンの更に他の表示例を示す図である。本例では、アイコン表示領域３０４に表示させるアイコンとして、印刷文書の文書スタイルを表すアイコンを表示する。図２０の例では、両面印刷で左側を綴じるスタイルがアイコンによって示されている。ここでは、例えば図６に示す第１ないし第４アイコン３０５〜３０８に加えて、あるいはこれらのアイコンに代えて適宜文書スタイルを表すアイコンを表示することができる。これにより、片面印刷／両面印刷等を含む文書スタイルをユーザに認識させることが可能となり、登録名称の入力をさらに容易に行うことができる。
【０１１７】
また上記のように、アイコン表示領域３０４に表示させるアイコンとして、予め定められた印刷設定条件（基準印刷設定条件）と現在の印刷設定条件とを比較し、現在の印刷設定条件において、上記基準印刷設定条件と異なる項目があれば、その印刷設定条件の項目に対応するアイコンについて、アイコン表示領域３０４の表示状態を変化させる。図２１に、基準印刷設定条件と異なる印刷設定条件項目に対応するアイコンの表示例を示す。
【０１１８】
図２１の例では、基準印刷設定条件と現在の印刷設定条件とを比較して、異なる印刷設定条件の項目に対応したアイコンのみをアイコン表示領域３０４に表示している。ここでは、上記図１９に示したような第３アイコン３０７が示す“Collate”に関わる印刷設定条件項目のみが基準印刷設定条件と異なっているため、上記第３アイコン３０７のみをアイコン表示領域３０４に表示し、他の印刷設定条件項目については、アイコン表示領域３０４に表示しないようにしている。このように、予め定められた基準印刷設定条件と異なる印刷設定条件の項目を表示することにより、ユーザが印刷設定条件の状態を容易に認識することができるようになる。
【０１１９】
図２２は、基準印刷設定条件と異なる印刷設定条件項目に対応するアイコンの他の表示例を示す図である。本例では、予め定めた基準印刷設定条件と異なる印刷設定条件項目に対応するアイコンについては、所定のマークを付加して表示する。例えば、図２２に示すように、上記“Collate”に関わる印刷設定条件項目が基準印刷設定条件と異なる場合に、“Collate”の状態を表示する第３アイコン３０７に対して“変更”という文字を含む所定のマーク３２５を表示する。マーク３２５を付与して表示することにより、ユーザが注目しやすくなるため、基準印刷設定条件と異なる印刷設定条件項目をユーザがより容易に認識できるようになる。
【０１２０】
図２３は、基準印刷設定条件と異なる印刷設定条件項目に対応するアイコンの更に他の表示例を示す図である。本例では、印刷設定条件項目に対応するアイコンをアイコン表示領域３０４に表示する際に、表示すべきアイコンを時間の経過に従って変化させるようにする。
例えば、アイコン表示領域３０４にアイコンを表示させる際に、所定のスクロール速度でアイコンをスクロール表示させる。またアイコン表示領域３０４に表示させるアイコンを、所定時間間隔で切り替えてスライドショー形式で表示させるようにしてもよい。アイコンの切り替え表示は、例えば、図２３（Ａ）から図２３（Ｂ）の状態になるように表示することができる。このような表示の切り替えは、アイコン表示領域３０４が狭いときに特に有効であり、ユーザの視認性と操作性を向上させることができる。
【０１２１】
図２４は、基準印刷設定条件と異なる印刷設定条件項目に対応するアイコンの更に他の表示例を示す図である。本例では、印刷設定条件項目に対応するアイコンをアイコン表示領域３０４に表示する際に、上記基準印刷設定条件に対応するアイコンを、現在の印刷設定条件に対応するアイコンとともに表示する。
例えば図２４に示すように、ユーザ登録画面３０１に二つのアイコン表示領域３０４ａ，３０４ｂを設定し、第１のアイコン表示領域３０４ａには、基準印刷設定条件に対応するアイコンを表示し、第２のアイコン表示領域３０４ｂには、現在の印刷設定条件に対応するアイコンを表示する。このような表示によって、ユーザは印刷設定条件の状態をより明確に認識することができるようになる。
【０１２２】
次にユーザ登録画面３０１に表示する名称登録部３０２に対する名称の自動入力処理について説明する。図２５は、印刷設定条件画面２０１ａ，２０１ｂにおける名称登録部３０２の表示例を示す図である。
ユーザが設定した特定の印刷設定条件に対して、登録名称を簡単に決定して入力することができるようにするため、印刷設定装置は、基準印刷設定条件と現在の印刷設定条件状態とを比較して、印刷設定条件条が異なる項目を抽出し、その印刷設定条件が異なる項目に関連した登録名称を生成して、名称登録部３０２に自動的に表示させる。図２５の例では、現在の印刷設定条件項目において、基準印刷設定条件と異なる項目の内容が、“２−Ｕｐ”と“1−Ｓtaple”であったため、名称登録部３０２に対して自動的に“［２−Ｕｐ］［1−Ｓtaple］”が表示される。
【０１２３】
ここでユーザは、名称登録部３０２に自動表示された登録名称をそのまま用いて、現在の印刷設定条件を登録してもよく、また自動表示された登録名称を適宜変更して登録してもよい。このように、基準印刷設定条件と異なる印刷設定条件項目に関連した名称を自動表示することで、ユーザは登録名称の入力をより容易に行うことができるようになる。
【０１２４】
図２６は、ユーザ登録画面の更に他の表示例を示す図である。上記の例では、図４及び図５に示す印刷設定条件画面２０１ａ，２０１ｂからユーザ登録画面３０１に切り替わる表示を行っていたが、本例では、印刷設定条件画面２０１ａ，２０１ｂに重ねてユーザ登録画面３０２を表示する。ここでは、印刷設定条件画面２０１ａ、２０１ｂのいずれかにおいて“Save”２１２をポインティングすると、その画面上に上書きされてユーザ登録画面３０２が表示される。そしてこのときに、印刷設定条件画面２０１ａ，２０１ｂにおける印刷設定条件領域２２０，２４０の表示内容を消去する。
【０１２５】
印刷設定条件領域２２０，２４０の情報を表示した状態でユーザ登録画面３０１を表示すると、表示情報量が多くなってしまい、ユーザに現在の設定状態を把握させにくくしてしまう場合がある。従って本例のように登録に際して不要な情報を表示させないようにすることにより、ユーザに現在の印刷設定条件をより把握させやすくすることが可能となる。
【０１２６】
図２７は、設定一覧表示領域に表示する印刷設定条件項目の更に他の表示例を示す図である。本例では、設定一覧表示領域３０３に印刷設定条件項目を表示する際に、相互に関連する複数の印刷設定条件項目を、一つの印刷設定条件項目としてまとめて表示する。例えば図２７の例では、印刷設定条件項目の“Copies”３３１には、印刷枚数である“１”とともに、関連する“Collate”がまとめて表示されている。すなわち、印刷枚数が１枚であることと“Collate”がＯＮであることが、一つの印刷設定条件項目“Copies”３３１にまとめて表示されている。
【０１２７】
また同様に、印刷設定条件項目の“Layout”３３２には、印刷用紙のサイズ“Ａ４”と、印刷用紙の向き“Portrait”と、一枚の印刷用紙に印刷するページ数“１−Ｕｐ”とがまとめて表示されている。
このように、関連した複数の印刷設定条件項目を一つの名称の印刷設定条件項目にまとめて表示することにより、設定一覧表示領域３０３が狭くても必要な情報を表示することができ、ユーザは登録名称の入力をより容易に行うことができるようになる。
【０１２８】
図２８及び図２９は、すでに登録されている名称を印刷設定条件から検索して表示する処理例を説明するための図である。
本例では、印刷設定装置は、すでに登録されている印刷設定条件の登録名称をその記憶手段から検索し、現在画面表示されている印刷設定条件と同じ印刷設定条件が登録されている登録名称を抽出し、抽出した登録名称をユーザ登録画面３０１の名称登録部３０２に表示させる。
【０１２９】
図２８の例では、過去に登録されている登録名称のなかから、現在の印刷設定条件に一致する印刷設定条件の登録名称として“２−Ｕｐ”が抽出され、名称登録部３０２に表示される。このときに、図２９に示すように、登録名称“２−Ｕｐ”に該当する印刷設定条件と、基準印刷設定条件とを比較し、異なる印刷設定条件項目について、設定一覧表示領域３０３における表示状態を変更させてもよい。図２９の例では、“Ｎ−Ｕｐ”３１２の印刷設定条件が基準印刷設定条件と異なる場合に、その設定条件についてのみ斜体文字を用い、かつフォントサイズを他の項目に比して大きくして表示する。これによりユーザは、基準印刷設定条件と異なる印刷設定条件項目を容易に認識することができ、登録名称の入力をより容易に行うことができるようになる。
【０１３０】
勿論、上述の実施形態のように、本例の斜体文字とフォントサイズとの組み合わせに限ることなく、これらを単独で使用してもよく、また文字の太さの変更、イタリック体やゴシック体等による字体の変更、アンダーラインや網掛けなどによる区別、表示色の変更、及びこれらの組み合わせ等により、印刷設定条件が異なる項目と他の項目との間で書体が区別できるように変更されていればよい。
【０１３１】
図３０は、設定一覧表示領域に表示する印刷設定条件項目の更に他の表示例を示す図である。本例では、基準印刷設定条件と現在の印刷設定条件とを比較して、異なる印刷設定条件の項目を表示する位置を、予め定めた優先順位に従って制御する。すなわち、設定一覧表示領域３０３において、基準印刷設定条件と異なる印刷設定条件項目の表示位置を予め定めた優先順位に従って変更して表示する。
【０１３２】
例えば、図２８の状態で、基準印刷設定条件と現在の印刷設定条件との比較において、現在の項目“Ｎ−Ｕｐ”３１２が基準印刷設定条件と異なっている場合には、図３０に示すように、項目“Ｎ−Ｕｐ”３１２を、設定一覧表示領域３０３の第１行目の位置に移動させて表示する。このように、基準印刷設定条件と異なる項目を第１行目に表示することにより、ユーザはその項目に注目して認識しやすくなり、登録名称の入力をより容易に行うことができるようになる。
【０１３３】
また上記の所定の優先順位に従う表示位置の変更制御は、基準印刷設定条件との比較結果に基づくもののみならず、例えば、ステープルとパンチが共にＯＮ（有効）になっている場合には、印刷設定条件項目“Binding Edge”を設定一覧表示領域３０３の１行目に移動させて表示したり、また他の登録に用いられていない特有の印刷設定条件項目が有る場合に、その特有の印刷設定条件項目を設定一覧表示領域３０３の１行目に移動させて表示したりしてもよい。また最優先の表示位置は、設定一覧表示領域３０３の１行目に限ることなく、最も優先順位の高い表示位置を任意に定めることができる。
【０１３４】
図３１は、ユーザ登録画面の表示メイン処理の一例を説明するためのフローチャートである。まず現在の印刷設定条件を取得し（ステップＳ１）、次いで基準印刷設定条件を取得する（ステップＳ２）。基準印刷設定条件は、上述のように製品出荷時のデフォルトの印刷設定条件としてもよく、また予め定めた任意の印刷設定条件としてもよい。
【０１３５】
そして、現在の印刷設定条件を画面上（設定一覧表示領域３０３）にテキスト表示し（ステップＳ３）、さらに現在の印刷設定条件に対応するアイコンを同じく設定一覧表示領域３０３に表示する（ステップＳ４）。そして、登録名称を表示するための名称登録部３０２を設定一覧表示領域３０３に表示する（ステップＳ５）。
【０１３６】
ここでイベントを受信し（ステップＳ６）、タイマＴ及びタイマＳがタイムアップしているかどうかを順次判別する（ステップＳ７，Ｓ８）。ステップＳ７でタイマＴがタイムアップしていれば、印刷設定条件のテキスト表示をスクロールし（ステップＳ１３）、タイマＴをセットして（ステップＳ１４）、ステップＳ６に戻る。また上記ステップＳ７でタイマＴがタイムアップしていなく、ステップＳ８でタイマＳがタイムアップしていれば、印刷設定条件のアイコン表示をスクロールし（ステップＳ１５）、タイマＳをセットして（ステップＳ１６）、ステップＳ６に戻る。
【０１３７】
ステップＳ８でタイマＳがタイムアップしていなければ、次に登録名称が入力されたかどうかを判別する（ステップＳ９）。登録名称が入力されていれば、その入力された登録名称を名称登録部３０２に表示し（ステップＳ１０）、ステップＳ６に戻る。
また、ステップＳ９で登録名が入力されなければ、“ＯＫ”が指示されたかどうかを判別し（ステップＳ１１）、“ＯＫ”が指示されればユーザ設定登録処理、すなわち、登録名称と印刷設定条件とを関連付けて登録する処理を行う（ステップＳ１２）。また、“ＯＫ”ではなく“キャンセル（Cancel）”が指示されていれば（ステップＳ１７）、処理を終了し、“キャンセル”が指示されていなければステップＳ６に戻る。
【０１３８】
図３２は、設定一覧表示領域３０３に表示するテキストによる印刷設定条件の表示処理の一例を説明するためのフローチャートである。まずＮ＝印刷設定条件の項目数とおき（ステップＳ２１）、Ｉ＝０，Ｊ＝０とする（ステップＳ２２）。ここでＩは個々の印刷設定条件項目、Ｊはその印刷設定条件項目が基準印刷設定条件と異なるときの表示位置を示す。そして上記Ｎと設定一覧表示領域３０３の表示領域から表示フォントの書体とサイズを決定する（ステップＳ２３）。
【０１３９】
そして印刷設定条件項目の表示サイズが、使用可能な最小サイズを超えるかどうかを判別し（ステップＳ２４）、超える場合には、表示フォントを最小サイズに変更し、タイマＴをセットする（ステップＳ２５）。また表示サイズが、使用可能な最小サイズを超えない場合にはそのまま次のステップＳ２６に進む。
【０１４０】
そしてＩ≦Ｎかどうかを判別し（ステップＳ２６）、Ｉ≦Ｎであれば現在の印刷設定条件と基準印刷設定条件とが一致しているかどうかを判別する（ステップＳ２７）。そしてこれらが一致していなければ、挿入位置Ｊに、一致していない項目の書体及びサイズで表示し（ステップＳ２８）、さらに変更マークを付加する（ステップＳ２９）。そしてＪ＝Ｊ＋１とし（ステップＳ３０）、Ｉ＝Ｉ＋１として（ステップＳ３１）、ステップＳ２６に戻る。
【０１４１】
また上記ステップＳ２６でＩ≦Ｎでなければ、処理を終了する。またステップＳ２７で現在の印刷設定条件と基準印刷設定条件とが一致していれば、表示の最終行にその印刷設定条件項目を表示し（ステップＳ３２）、ステップＳ３１に進んで印刷設定条件項目値Ｉをインクリメントする。
【０１４２】
図３３は、アイコン表示領域３０４に表示するアイコンによる印刷設定条件の表示処理の一例を説明するためのフローチャートである。まず現在の印刷設定条件に対応した出力イメージアイコンを表示する（ステップＳ４１）。そして、基準印刷設定条件に対応する出力イメージアイコンと上記ステップＳ４１で表示した出力イメージアイコンが異なるかどうかを判別する（ステップＳ４２）。表示した出力イメージアイコンが、基準印刷設定条件に対応する出力イメージアイコンと異なる場合は、その出力イメージアイコンにマークを付加する（ステップＳ４３）。
【０１４３】
次に現在の印刷設定条件に対応した文書スタイル／用紙種アイコンを表示する（ステップＳ４４）。そして、基準印刷設定条件に対応する文書スタイル／用紙種アイコンと上記ステップＳ４４で表示した文書スタイル／用紙種アイコンが異なるかどうかを判別する（ステップＳ４５）。表示した文書スタイル／用紙種アイコンが、基準印刷設定条件に対応する文書スタイル／用紙種アイコンと異なる場合は、その文書スタイル／用紙種アイコンにマークを付加する（ステップＳ４６）。
【０１４４】
次に現在の印刷設定条件に対応した部数指定アイコンを表示する（ステップＳ４７）。そして、基準印刷設定条件に対応する部数指定アイコンと上記ステップＳ４７で表示した部数指定アイコンが異なるかどうかを判別する（ステップＳ４８）。表示した部数指定アイコンが、基準印刷設定条件に対応する部数指定アイコンと異なる場合は、その部数指定アイコンにマークを付加する（ステップＳ４９）。
【０１４５】
次に印刷装置アイコンを表示し（ステップＳ５０）、その印刷装置アイコンにおいて、現在選択されている給紙トレイ及び排紙トレイを塗りつぶす表示を行う（ステップＳ５１）。そして現在の給紙トレイまたは排紙トレイが、基準印刷設定条件の給紙トレイまたは排紙トレイと異なるかどうかを判別し（ステップＳ５２）、異なっていれば印刷装置アイコンにマークを付加する（ステップＳ５３）。また異なっていなければ、そのまま次のステップＳ５４に進む。
【０１４６】
ステップＳ５４では、アイコン表示にスクロールが必要かどうかを判別する。そしてスクロールが必要であればタイマＳをセットし（ステップＳ５５）、必要でなければ処理を終了する。
【０１４７】
図３４は、基準印刷設定条件の異なるアイコンのみを表示する場合の処理の一例を説明するためのフローチャートである。まず、基準印刷設定条件の出力イメージアイコンと、現在の印刷設定条件に対応する出力イメージアイコンとが異なるかどうかを判別する（ステップＳ６１）。そしてこれらが異なっていれば、現在の印刷設定条件に対応した出力イメージアイコンを表示させる（ステップＳ６２）。
【０１４８】
次に基準印刷設定条件の文書スタイル／用紙種アイコンと、現在の印刷設定条件に対応する文書スタイル／用紙種アイコンとが異なるかどうかを判別する（ステップＳ６３）。そしてこれらが異なっていれば、現在の印刷設定条件に対応した文書スタイル／用紙種アイコンを表示させる（ステップＳ６４）。
【０１４９】
次に基準印刷設定条件の部数指定アイコンと、現在の印刷設定条件に対応する部数指定アイコンとが異なるかどうかを判別する（ステップＳ６５）。そしてこれらが異なっていれば、現在の印刷設定条件に対応した部数指定アイコンを表示させる（ステップＳ６６）。
【０１５０】
次に現在の給紙トレイまたは排紙トレイが、基準印刷設定条件の給紙トレイまたは排紙トレイと異なるかどうかを判別し（ステップＳ６７）、異なっていれば印刷装置アイコンにマークを表示し（ステップＳ６８）、その印刷装置アイコンにおいて、現在選択されている給紙トレイ及び排紙トレイを塗りつぶして表示する（ステップＳ６９）。
【０１５１】
図３５は、登録名を表示させる処理の一例を説明するためのフローチャートである。まず、Ｎ＝印刷設定条件項目数とし（ステップＳ７１）、印刷設定条件項目Ｉ＝０として（ステップＳ７２）、さらに登録名称バッファＵをクリアする（ステップＳ７３）。
そして、Ｉ≦Ｎであるかどうかを判別し（ステップＳ７４）、Ｉ≦ＮであればＩの状態と基準印刷設定条件の状態とが一致するかどうかを判別する（ステップＳ７５）。そしてＩの状態と基準印刷設定条件の状態が位置しなければ、現在の印刷設定条件に対応した設定名称をＵに追記し（ステップＳ７６）、さらに区切り文字（スペース）をＵに追記して（ステップＳ７７）、ステップＳ７４に戻る。また上記ステップＳ７５で、Ｉの状態と基準印刷設定条件の状態とが一致すれば、そのままステップＳ７４に戻る。
【０１５２】
ステップＳ７４で、Ｉ≦Ｎでなければ、Ｕの最終文字が区切り文字（スペース）かどうかを判別し（ステップＳ７８）、区切り文字であれば、最終の区切り文字（スペース）をＵから削除し（ステップＳ７９）、Ｕを名称登録部に表示させる（ステップＳ８０）。また上記ステップＳ７８でＵの最終文字が区切り文字でなければ、ステップＳ８０に進んでＵを名称登録部に表示する。
【０１５３】
図３６は、テキストによる印刷設定条件項目の表示処理の他の例を説明するためのフローチャートで、設定一覧表示領域３０３に印刷設定条件項目を表示する際に、相互に関連する複数の印刷設定条件項目を一つの印刷設定条件項目としてまとめて表示する（図２７参照）処理について説明するものである。
まずＮ＝表示項目数とし（ステップＳ８１）、表示項目Ｉ＝０とする（ステップＳ８２）。そして、Ｎと表示領域から表示フォントの書体とサイズを決定する（ステップＳ８３）。次いで、表示サイズが使用可能な最小サイズを超えるかどうかを判別し（ステップＳ８４）、最小サイズを超えるのであれば、表示フォントを最小サイズに変更してタイマＴをセットする（ステップＳ８５）。また超えない場合は、そのまま次のステップＳ８６に進む。
【０１５４】
ステップＳ８６ではＩ≦Ｎであるかを判別し、Ｉ≦Ｎであれば表示項目Ｉに関連した印刷設定条件名と、印刷設定状態とを表示して（ステップＳ８７）、Ｉをインクリメント（Ｉ＝Ｉ＋１）して（ステップＳ８８）、ステップＳ８６に戻る。ステップＳ８６でＩ≦Ｎでなければ、処理を終了する。
【０１５５】
図３７は、登録名を表示させる処理の他の例を説明するためのフローチャートで、すでに登録されている印刷設定条件の登録名称をその記憶手段から検索し、現在画面表示されている印刷設定条件と同じ印刷設定条件が登録されている登録名称を抽出してユーザ登録画面３０１の名称登録部３０２に表示させる（図２９参照）処理について説明するためのものである。
【０１５６】
まず、Ｎ＝印刷設定条件登録数とし（ステップＳ９１）、登録Ｉ＝０として（ステップＳ９２）、さらに登録名称バッファＵをクリアする（ステップＳ９３）。
そして、Ｉ≦Ｎであるかどうかを判別し（ステップＳ９４）、Ｉ≦Ｎであれば現在の印刷設定条件と登録Ｉの設定とが一致するかどうかを判別する（ステップＳ９５）。そして現在の印刷設定条件と登録Ｉの設定とが一致しなければ、登録Ｉの登録名称をＵにセットし（ステップＳ９６）、さらにＵを名称登録部に表示する（ステップＳ９７）。また上記ステップＳ９５で、現在の印刷設定条件と登録Ｉの設定とが一致すれば、Ｉをインクリメント（Ｉ＝Ｉ＋１）して（ステップＳ９８）、ステップＳ９４に戻る。
【図面の簡単な説明】
【０１５７】
【図１】本発明の印刷設定装置の一例における機能を説明するための図である。
【図２】本発明の印刷設定装置のハードウェアの構成例を説明するためのブロック図である。
【図３】プリンタドライバが備えるモジュール構成を説明するための図である。
【図４】プリンタドライバの印刷設定条件画面の構成例を示す図である。
【図５】プリンタドライバの印刷設定条件画面の構成例を示す図である。
【図６】現在の印刷設定条件を一覧で確認可能とする印刷設定条件画面の一例を示す図である。
【図７】基準印刷設定条件と異なる印刷設定条件項目の表示例を示す図である。
【図８】基準印刷設定条件と異なる印刷設定条件項目の他の表示例を示す図である。
【図９】基準印刷設定条件と異なる印刷設定条件項目を示すアイコンの表示例を示す図である。
【図１０】基準印刷設定条件と異なる印刷設定条件項目の更に他の表示例を示す図である。
【図１１】設定一覧表示領域に表示する印刷設定条件項目の他の表示例を示す図である。
【図１２】設定一覧表示領域に表示する印刷設定条件項目の更に他の表示例を示す図である。
【図１３】設定一覧表示領域に表示する印刷設定条件項目の更に他の表示例を示す図である。
【図１４】アイコン表示領域におけるアイコンの表示例を示す図である。
【図１５】アイコン表示領域におけるアイコンの他の表示例を示す図である。
【図１６】アイコン表示領域におけるアイコンの更に他の表示例を示す図である。
【図１７】アイコン表示領域におけるアイコンの更に他の表示例を示す図である。
【図１８】アイコン表示領域におけるアイコンの更に他の表示例を示す図である。
【図１９】アイコン表示領域におけるアイコンの更に他の表示例を示す図である。
【図２０】アイコン表示領域におけるアイコンの更に他の表示例を示す図である。
【図２１】基準印刷設定条件と異なる印刷設定条件項目に対応するアイコンの表示例を示す図である。
【図２２】基準印刷設定条件と異なる印刷設定条件項目に対応するアイコンの他の表示例を示す図である。
【図２３】基準印刷設定条件と異なる印刷設定条件項目に対応するアイコンの更に他の表示例を示す図である。
【図２４】基準印刷設定条件と異なる印刷設定条件項目に対応するアイコンの更に他の表示例を示す図である。
【図２５】印刷設定条件画面における名称登録部の表示例を示す図である。
【図２６】ユーザ登録画面の更に他の表示例を示す図である。
【図２７】設定一覧表示領域に表示する印刷設定条件項目の更に他の表示例を示す図である。
【図２８】すでに登録されている名称を印刷設定条件から検索して表示する処理例を説明するための図である。
【図２９】すでに登録されている名称を印刷設定条件から検索して表示する処理例を説明するための他の図である。
【図３０】設定一覧表示領域に表示する印刷設定条件項目の更に他の表示例を示す図である。
【図３１】ユーザ登録画面の表示メイン処理の一例を説明するためのフローチャートである。
【図３２】設定一覧表示領域に表示するテキストによる印刷設定条件の表示処理の一例を説明するためのフローチャートである。
【図３３】アイコン表示領域に表示するアイコンによる印刷設定条件の表示処理の一例を説明するためのフローチャートである。
【図３４】基準印刷設定条件の異なるアイコンのみを表示する場合の処理の一例を説明するためのフローチャートである。
【図３５】登録名を表示させる処理の一例を説明するためのフローチャートである。
【図３６】テキストによる印刷設定条件項目の表示処理の他の例を説明するためのフローチャートである。
【図３７】登録名を表示させる処理の他の例を説明するためのフローチャートである。
【符号の説明】
【０１５８】
１…印刷設定装置、２…プリンタ、１１…オペレーティングシステム、１２…プリンタドライバ、１３…データ送受信部、１４…アプリケーションプログラム、２１…ＣＰＵ、２２…ＲＯＭ、２３…ＲＡＭ、２４…ＨＤＤ、２５…入力インターフェース部、２６…ディスプレイインターフェース部、２７…ネットワークインターフェース部、２８…マウス、２９…キーボード、３０…ディスプレイ、１０１…アプリケーションとの通信部、１０２…出力データ生成部、１０３…プリンタドライバ設定部、１０４…ユーザ設定登録部、１０５…印刷設定条件の初期状態保持部、１０６…表示用テキストデータ保持部、１０７…表示用アイコンデータ保持部、２０１ａ，２０１ｂ…印刷設定条件画面、２０２…メインタブ、２０３…ペーパータブ、２１０…ユーザ設定領域、２１１…名称入力部、２２０，２４０…印刷設定条件領域、２２５…指定領域、２４３…チェックボックス、３０１…ユーザ登録画面、３０２…名称登録部、３０３…設定一覧表示領域、３０４ａ，３０４ｂ…アイコン表示領域、３０４…アイコン表示領域、３０５〜３０８…アイコン、３１３…マーク、３１５…現在の設定条件、３１６…基準印刷設定条件、３２１…ステープル表示、３２２…パンチ表示、３２３…給紙トレイの位置、３２４…排紙トレイの位置、３２５…マーク。
【図１】
2006330898.tif 000003
【図２】
2006330898.tif 000004
【図３】
2006330898.tif 000005
【図４】
2006330898.tif 000006
【図５】
2006330898.tif 000007
【図６】
2006330898.tif 000008
【図７】
2006330898.tif 000009
【図８】
2006330898.tif 000010
【図９】
2006330898.tif 000011
【図１０】
2006330898.tif 000012
【図１１】
2006330898.tif 000013
【図１２】
2006330898.tif 000014
【図１３】
2006330898.tif 000015
【図１４】
2006330898.tif 000016
【図１５】
2006330898.tif 000017
【図１６】
2006330898.tif 000018
【図１７】
2006330898.tif 000019
【図１８】
2006330898.tif 000020
【図１９】
2006330898.tif 000021
【図２０】
2006330898.tif 000022
【図２１】
2006330898.tif 000023
【図２２】
2006330898.tif 000024
【図２３】
2006330898.tif 000025
【図２４】
2006330898.tif 000026
【図２５】
2006330898.tif 000027
【図２６】
2006330898.tif 000028
【図２７】
2006330898.tif 000029
【図２８】
2006330898.tif 000030
【図２９】
2006330898.tif 000031
【図３０】
2006330898.tif 000032
【図３１】
2006330898.tif 000033
【図３２】
2006330898.tif 000034
【図３３】
2006330898.tif 000035
【図３４】
2006330898.tif 000036
【図３５】
2006330898.tif 000037
【図３６】
2006330898.tif 000038
【図３７】
2006330898.tif 000039